(57)【特許請求の範囲】
【請求項１】
ロック装置が解錠されたときに、無線信号を発生するロック通信装置を備えた複数のセンサ装置と、複数のセンサ装置の各ロック通信装置が発生する無線信号を受信したとき、警報信号を発生する警報制御装置とを備えたロック操作検知装置において、
センサ装置は、ロック装置の施錠状態から解錠状態への切換を検出する開放センサ素子と、ロック装置へ加えられる衝撃を検出する衝撃センサとを備え、
ロック通信装置は、ロック装置に接続されたセンサ側送受信制御回路と、センサ側送受信制御回路に接続されかつ警報制御装置に対して無線信号の送受信を行うセンサ側送受信駆動回路とを備え、
ロック装置は、ロック装置の解錠状態と施錠状態との間の切換のみを警報制御装置に送信するが、衝撃センサの検出信号を警報制御装置に送信しないリセット状態と、ロック装置の解錠状態と施錠状態との間の切換及び衝撃センサの検出信号を警報制御装置に送信するセット状態との間で切り換えられ、
警報制御装置は、センサ装置に対して無線信号の送受信を行う警報側送受信駆動回路と、警報側送受信駆動回路に接続された警報側送受信制御回路とを備え、
センサ側送受信制御回路は、電池と、電池の残部容量を測定する容量検出手段と、容量検出手段からの情報を受信して、一定時間経過時に、警報制御装置に対して送信する指令信号を発生して、定期交信を行うセンサ側交信タイマ手段とを備え、
ロック装置は、回転可能に支持されたフック部及びフック部と一体に回転するレバー部とを有するクレセント錠と、クレセント錠のレバー部に形成された係止部に係脱可能に配置されたプランジャを有するソレノイドとを備え、
センサ側送受信制御回路は、警報制御装置からの無線信号を受信したとき、警報制御装置に無線信号を送信すると共に、センサ側交信タイマ手段による一定時間経過後に、定期交信のために受信状態となり、
警報制御装置は、警報側交信タイマ手段により受信状態のセンサ装置にセット信号及びリセット信号を含む無線信号を送出し、
警報制御装置がセット信号を含む無線信号を発生したとき、センサ装置は、ソレノイドを一方向に作動させてプランジャをクレセント錠の係止部に係合させ、
警報制御装置がリセット信号を含む無線信号を発生したとき、センサ装置は、ソレノイドを他方向に作動させてプランジャをクレセント錠の係止部から離間させ、
警報制御装置は、警報側送受信制御回路に接続されて、最初に操作されたときにセンサ装置にセット信号を含む無線信号を送出しかつ再度操作されたときにセンサ装置にリセット信号を含む無線信号を送出する手動セット／リセットボタンを備え、
警報側送受信制御回路は、手動セット／リセットボタンが操作されたとき、警報側送受信駆動回路を通じてセンサ装置にセット信号を送出し、
センサ装置は、警報制御装置からセット信号を受信したときに、リセット状態からセット状態に切り換えられると共に、センサ側交信タイマ手段を作動することを特徴とするロック操作検知装置。
【請求項２】
警報側送受信制御回路は、手動セット／リセットボタンが再度操作されたとき、警報側送受信駆動回路を通じてセンサ装置にリセット信号を送出し、
センサ装置は、警報制御装置からリセット信号を受信したときにリセット状態に切り換えられると共に、センサ側交信タイマ手段を作動する請求項１に記載のロック操作検知装置。
【請求項３】
各センサ装置は、固有時間を計数する時差タイマ手段を備え、
ロック装置が施錠状態から解錠状態に切り換えられたとき、センサ側送受信制御回路は、センサ側送受信駆動回路を通じて警報制御装置にコード信号を送信し、
センサ側送受信制御回路は、コード信号を送信した後、時差タイマ手段によって計数される固有時間を経過したときに、他のセンサ装置から送信されるコード信号に対して時差をもって異なるタイミングで、再度警報制御装置にコード信号を送信する請求項１又は２に記載のロック操作検知装置。
【請求項４】
センサ装置と警報制御装置との初期交信時に、警報制御装置は、最初のセンサ装置に無線信号を送信してそのセンサ装置から情報を受信した後、一定時間経過後に、次のセンサ装置に無線信号を送信して次のセンサ装置からの情報を受信し、
警報制御装置は、同一周波数の無線信号により各センサ装置に対する送受信を一定時間間隔で反復し、最終的に所定の数のセンサ装置に対する送受信を終了する請求項１〜３の何れか１項に記載のロック操作検知装置。
【請求項５】
警報制御装置は、各センサ装置からの無線信号を受信して各センサ装置のロック装置の解錠状態から施錠状態への切換又は施錠状態から解錠状態への切換を表示する請求項１〜４の何れか１項に記載のロック操作検知装置。
【請求項６】
センサ側送受信制御回路は、開放センサ素子又は衝撃センサからの検出信号を受信したときに、センサ側送受信駆動回路を通じて警報制御装置にコード信号と共に、検出信号を送信し、
警報側送受信制御回路は、センサ装置からの検出信号を受信したとき、警報信号を発生する請求項１〜４の何れか1項に記載のロック操作検知装置。
【請求項７】
センサ側送受信制御回路は、開放センサ素子又は衝撃センサからの検出信号を受信したときに、センサ側送受信駆動回路を通じて警報制御装置にコード信号と共に検出信号を送信し、
その後、時差タイマ手段によって計数される固有時間を経過したときに、他のセンサ装置から送信されるコード信号に対して時差をもって異なるタイミングで、再度警報制御装置にコード信号と共に検出信号を送信する請求項３に記載のロック操作検知装置。
【請求項８】
各センサ装置と警報制御装置との初期交信の際に、センサ側送受信制御回路は、開放センサ素子又は衝撃センサからの検出信号を受信したとき、センサ側送受信駆動回路を通じて警報制御装置にコード信号と共に検出信号を送信し、
警報制御装置の警報側送受信制御回路は、センサ装置からの検出信号を受信したとき、警報信号を発生する請求項５に記載のロック操作検知装置。
【発明の詳細な説明】
【０００１】
【発明の属する技術分野】
この発明は、検知装置、特に窓等の開閉部のロック装置が不正に操作されたことを検出して警報するロック操作検知装置に関連する。
【０００２】
【従来の技術】
例えば、特開昭５８−１３１２７５号公報に示されるように、開閉部に設けられたロック装置の操作状態を検出しかつワイヤレスシステムにより遠隔で確認できる戸締り確認装置は公知である。この戸締り確認装置は、屋内の各扉体のロック装置のクリセントの開閉状態に連動して作動するスイッチと、スイッチの出力により各扉体にチャンネルをそれぞれ割り当てられて、クリセントの開閉状態を送信する無線発信器と、各発信器からの送信信号を一括受信してクリセントの開閉によるロック状態を監視表示する受信器とを備えている。この確認装置では、窓のクリセントに連動するスイッチにより、クリセントと一体に又は隣接して配置された多チャンネル無線発信器を動作させ、受信器に各受信器からの信号を受信して集中的に窓などの扉体の施錠状態を確認することができる。
【０００３】
また、特開平４−２９６９９８号公報は、複数の窓の施錠又は解錠に対応して窓の開閉をワイヤレスで集中的に検知表示できるワイヤレス窓開閉検知システムを開示する。このワイヤレス窓開閉検知システムは、複数の異なる周波数の信号を生成してこれを所定の周期で順次送信する信号発生手段と、信号の送信及び受信を行うループアンテナと、複数の窓の枠にそれぞれ配設されそれぞれの窓の施錠によって窓毎に設定される固有の周波数で信号発生手段から送信信号に対応して反射信号を発生するＱの大きい共振子を備えた複数の返信手段と、返信手段からの返信信号を検知して反射信号の周波数により発信した窓の位置を表示する施錠検出表示手段と、所定の周期に合わせて各周波数毎に信号発生手段と施錠検出表示手段とを切り換えてループアンテナに接続する送信回路と受信回路とを交互に形成する切換スイッチとを備えている。このワイヤレス窓開閉検知システムは窓が解錠された時に解錠検知表示を行う。
【０００４】
【発明が解決しようとする課題】
従来のワイヤレス窓開閉検知システムでは、ロック装置としてクレセント錠を使用するため、ガラス等の開扉部の一部を破壊すれば、クレセント錠のレバー部を回転してクレセント錠を解錠して、解錠後窓を開けて容易に侵入することができる。このため、ワイヤレス窓開閉検知システムによって開扉部の不正開放を検出すると共に、クレセント錠の不正解錠を阻止することが望ましい。
【０００５】
そこで、この発明は、クレセント錠の不正解錠を阻止できると共に、警報制御装置とセンサ装置との間で情報伝達のため遠隔操作で定期的にかつ自動的に交信を行うロック操作検知装置を提供することを目的とする。
【０００６】
【課題を達成するための手段】
この発明によるロック操作検知装置は、ロック装置（10）が解錠されたときに、無線信号を発生するロック通信装置（11）を備えた複数のセンサ装置（1）と、複数のセンサ装置（1）の各ロック通信装置（11）が発生する無線信号を受信したとき、警報信号を発生する警報制御装置（2）とを備える。センサ装置（1）は、ロック装置（10）の施錠状態から解錠状態への切換を検出する開放センサ素子（18）と、ロック装置（10）へ加えられる衝撃を検出する衝撃センサ（17）とを備える。ロック通信装置（11）は、ロック装置（10）に接続されたセンサ側送受信制御回路（28）と、センサ側送受信制御回路（28）に接続されかつ警報制御装置（2）に対して無線信号の送受信を行うセンサ側送受信駆動回路（19）とを備える。ロック装置（10）は、ロック装置（10）の解錠状態と施錠状態との間の切換のみを警報制御装置（2）に送信するが、衝撃センサ（17）の検出信号を警報制御装置（2）に送信しないリセット状態と、ロック装置（10）の解錠状態と施錠状態との間の切換及び衝撃センサ（17）の検出信号を警報制御装置（2）に送信するセット状態との間で切り換えられる。警報制御装置（2）は、センサ装置（1）に対して無線信号の送受信を行う警報側送受信駆動回路（36）と、警報側送受信駆動回路（36）に接続された警報側送受信制御回路（37）とを備える。センサ側送受信制御回路（28）は、電池（16）と、電池（16）の残部容量を測定する容量検出手段（29）と、容量検出手段（29）からの情報を受信して、一定時間経過時に、警報制御装置（2）に対して送信する指令信号を発生して、定期交信を行うセンサ側交信タイマ手段とを備える。ロック装置（10）は、回転可能に支持されたフック部（13）及びフック部（13）と一体に回転するレバー部（14）とを有するクレセント錠（9）と、クレセント錠（9）のレバー部（14）に形成された係止部（14a）に係脱可能に配置されたプランジャ（25）を有するソレノイド（24）とを備える。センサ側送受信制御回路（28）は、警報制御装置（2）からの無線信号を受信したとき、警報制御装置（2）に無線信号を送信すると共に、センサ側交信タイマ手段による一定時間経過後に、定期交信のために受信状態となる。警報制御装置（2）は、警報側交信タイマ手段により受信状態のセンサ装置（1）にセット信号及びリセット信号を含む無線信号を送出する。警報制御装置（2）がセット信号を含む無線信号を発生したとき、センサ装置（1）は、ソレノイド（24）を一方向に作動させてプランジャ（25）をクレセント錠（9）の係止部（14a）に係合させる。警報制御装置（2）がリセット信号を含む無線信号を発生したとき、センサ装置（1）は、ソレノイド（24）を他方向に作動させてプランジャ（25）をクレセント錠（9）の係止部（14a）から離間させる。警報制御装置（2）は、警報側送受信制御回路（37）に接続されて、最初に操作されたときにセンサ装置（1）にセット信号を含む無線信号を送出しかつ再度操作されたときにセンサ装置（1）にリセット信号を含む無線信号を送出する手動セット／リセットボタン（32）を備える。警報側送受信制御回路（37）は、手動セット／リセットボタン（32）が操作されたとき、警報側送受信駆動回路（36）を通じてセンサ装置（1）にセット信号を送出し、センサ装置（1）��、警報制御装置（2）からセット信号を受信したときに、リセット状態からセット状態に切り換えられると共に、センサ側交信タイマ手段を作動する。
【０００７】
この発明の実施形態では、警報側送受信制御回路（37）は、手動セット／リセットボタン（32）が再度操作されたとき、警報側送受信駆動回路（36）を通じてセンサ装置（1）にリセット信号を送出し、センサ装置（1）は、警報制御装置（2）からリセット信号を受信したときにリセット状態に切り換えられると共に、センサ側交信タイマ手段を作動する。
【０００８】
また、この発明の実施形態では、各センサ装置（1）は、固有時間を計数する時差タイマ手段を備える。ロック装置（10）が施錠状態から解錠状態に切り換えられたとき、センサ側送受信制御回路（28）は、センサ側送受信駆動回路（19）を通じて警報制御装置（2）にコード信号を送信する。センサ側送受信制御回路（28）は、コード信号を送信した後、時差タイマ手段によって計数される固有時間を経過したときに、他のセンサ装置（1）から送信されるコード信号に対して時差をもって異なるタイミングで、再度警報制御装置（2）にコード信号を送信する。
【０００９】
センサ装置（1）と警報制御装置（2）との初期交信時に、警報制御装置（2）は、最初のセンサ装置（1）に無線信号を送信してそのセンサ装置（1）から情報を受信した後、一定時間経過後に、次のセンサ装置（1）に無線信号を送信して次のセンサ装置（1）からの情報を受信する。警報制御装置（2）は、同一周波数の無線信号により各センサ装置（1）に対する送受信を一定時間間隔で反復し、最終的に所定の数のセンサ装置（1）に対する送受信を終了する。警報制御装置（2）は、各センサ装置（1）からの無線信号を受信して各センサ装置（1）のロック装置（10）の解錠状態から施錠状態への切換又は施錠状態から解錠状態への切換を表示する。センサ側送受信制御回路（28）は、開放センサ素子（18）又は衝撃センサ（17）からの検出信号を受信したときに、センサ側送受信駆動回路（19）を通じて警報制御装置（2）にコード信号と共に、検出信号を送信する。警報側送受信制御回路（37）は、センサ装置（1）からの検出信号を受信したとき、警報信号を発生する。
【００１０】
センサ側送受信制御回路（28）は、開放センサ素子（18）又は衝撃センサ（17）からの検出信号を受信したときに、センサ側送受信駆動回路（19）を通じて警報制御装置（2）にコード信号と共に検出信号を送信し、その後、時差タイマ手段によって計数される固有時間を経過したときに、他のセンサ装置（1）から送信されるコード信号に対して時差をもって異なるタイミングで、再度警報制御装置（2）にコード信号と共に検出信号を送信する。各センサ装置（1）と警報制御装置（2）との初期交信の際に、センサ側送受信制御回路（28）は、開放センサ素子（18）又は衝撃センサ（17）からの検出信号を受信したとき、センサ側送受信駆動回路（19）を通じて警報制御装置（2）にコード信号と共に検出信号を送信し、警報制御装置（2）の警報側送受信制御回路（37）は、センサ装置（1）からの検出信号を受信したとき、警報信号を発生する。
【００１１】
警報制御装置（2）の手動セット／リセットボタン（32）の操作によって、警報制御装置（2）からの遠隔操作により複数のセンサ装置（1）を同一周波数の無線信号により順次時差をもってセット状態又はリセット状態に切り換えることができる。警報制御装置（2）は、センサ側交信タイマ手段により受信状態のセンサ装置（1）にセット信号及びリセット信号を含む無線信号を送出する。警報制御装置（2）がセット信号を含む無線信号を発生したとき、センサ装置（1）はソレノイド（24）を一方向に作動させてプランジャ（25）をクレセント錠（9）のレバー部（14）に形成された係止部（14a）に係合させる。警報制御装置（2）がリセット信号を含む無線信号を発生したとき、センサ装置（1）はソレノイド（24）を他方向に作動させてプランジャ（25）をクレセント錠（9）のレバー部（14）に形成された係止部（14a）から離間させる。このように、セット状態のときに、ソレノイド（24）のプランジャ（25）がレバー部（14）の係止部（14a）に係合されるので、クレセント錠（9）の不正解錠を阻止することができる。
【００１２】
センサ装置（1）の作動の際に、センサ装置（1）のセンサ側送受信制御回路（28）は、開放センサ素子（18）又は衝撃センサ（17）からの検出信号を受信したときに、センサ側送受信駆動回路（19）を通じて警報制御装置（2）にコード信号と共に、検出信号を送信し、警報制御装置（2）の警報側送受信制御回路（37）は、センサ装置（1）からの検出信号を受信したときに、警報信号を発生するので、警報制御装置（2）によってセンサ装置（1）の集中管理を行うことができる。その際に、一定時間経過時に警報制御装置（2）に対して送信する指令信号を発生するので、通常の監視状態では、センサ装置（1）での消費電流は極めて小さい。また、各センサ装置（1）は警報制御装置（2）に対してコード信号を送信するので、警報制御装置（2）を管理すれば、どのセンサ装置（1）に状態変化が発生したかを迅速に認識することができる。
【００１３】
センサ側送受信制御回路（28）は、開放センサ素子（18）又は衝撃センサ（17）からの検出信号を受信したときに、センサ側送受信駆動回路（19）を通じて警報制御装置（2）にコード信号と共に検出信号を送信し、その後、時差タイマ手段によって計数される固有時間を経過したときに、他のセンサ装置（1）から送信されるコード信号に対して時差をもって異なるタイミングで、警報制御装置（2）にコード信号と共に、再度検出信号を送信するので、複数のセンサ装置（1）が警報制御装置（2）に対して同時に交信を開始しても、時差タイマ手段によって固有時間経過後に送信を行うため、警報制御装置（2）に対して確実に送信を終了することができる。
【００１４】
【発明の実施の形態】
以下、この発明によるロック操作検知装置の実施の形態を図１〜図１２について説明する。
【００１５】
このロック操作検知装置は、図１に示すように、複数のセンサ装置１と、センサ装置１から無線信号を受信する警報制御装置２とを備えている。図２に示すように、各センサ装置１は、窓又はドア等の開閉部に隣接して建物内に固定され、警報制御装置２は、センサ装置１に対し無線信号により通信を行う。図３に示すように、センサ装置１は、ロック装置としてのクレセント錠１０と、クレセント錠１０に隣接して配置されたロック通信装置１１とを備えている。クレセント錠１０は、中心軸１２を中心に回転するフック部１３と、フック部１３と一体に回転するレバー部１４とを有する。ロック通信装置１１は、プリント基板２２に支持された電池１６と、プリント基板２２のセンサ取付基板２２ａに支持されたフィルム状の衝撃センサ１７と、プリント基板２２に取り付けられた開放センサ素子としてのリードスイッチ１８と、ＲＦ（無線周波数）モジュールとしてプリント基板２２に取り付けられたセンサ側送受信駆動回路１９と、アンテナ２０と、発光ダイオード２２ｂと、ブザー２２ｃと、プランジャ２５を有するソレノイド２４と、樹脂製のケース２１とを備えている。ケース２１は、電池１６、衝撃センサ１７、リードスイッチ１８、センサ側送受信駆動回路１９及びアンテナ２０を包囲する。図３に示すように、衝撃センサ１７は電極１７ａと、電極１７ａから一定間隔離間して配置された導電性のフィルム１７ｂとを有する。フィルム１７ｂは、振動又は衝撃が加えられたときに、電圧を発生するカイナー（Ｋｙｎａｒ−商標名）圧電フィルムが使用される。クレセント錠１０のレバー部１４が施錠位置に回転されたとき、レバー部１４の端部に埋設された磁石１５は、リードスイッチ１８と対向する位置に移動し、リードスイッチ１８はオンとなり、クレセント錠１０の施錠を検出することができる。逆に、図３に示す解錠位置にレバー部１４が回転されたとき、磁石１５は、リードスイッチ１８から離間し、リードスイッチ１８はオフとなり、クレセント錠１０の解錠を検出することができる。また、クレセント錠１０に衝撃が加えられたとき、フィルム１７ｂが電圧を発生し、衝撃を検出することができる。レバー部１４はソレノイド２４のプランジャ２５が嵌合可能な係止部としての凹部１４ａを備えている。
【００１６】
図４に示すように、電池１６、衝撃センサ１７、リードスイッチ１８、セットスイッチ２７、ブザー２２ｃ及び発光ダイオード２２ｂは、センサ側送受信制御回路２８に接続される。また、センサ装置１の固有のコード信号を与える設定スイッチ２３と、電池１６の残部容量を測定する寿命検出回路（容量検出手段）２９が、センサ側送受信制御回路２８に接続される。設定スイッチ２３は、ディップスイッチ等の小型スイッチにより構成され、コード信号に必要な桁番号を付与する。センサ側送受信制御回路２８は、アンテナ２０を有するセンサ側送受信駆動回路１９に接続される。また、プリント基板２２に取り付けられたブザー２２ｃと発光ダイオード２２ｂは、センサ側送受信駆動回路１９から無線信号が発生するときに、作動され、聴覚信号又は視覚信号を与える。セットスイッチ２７がオンされたときに作動され、一定時間（例えば１０分）を計数する交信タイマ手段及び固有時間を計数する図示しない時差タイマ手段がセンサ側送受信制御回路２８内に設けられる。リードスイッチ１８及び衝撃センサ１７の出力は、センサ側送受信制御回路２８に送出され、センサ側送受信駆動回路１９及びセンサ側送受信駆動回路１９のアンテナ２０を通じてそのセンサ装置１を表すコード信号を含む無線信号によって警報制御装置２に伝達される。ロック装置１０は、ロック装置１０の開放状態、即ち解錠状態と、閉鎖状態、即ち施錠状態との間の切換のみを警報制御装置２に送信するが、センサ装置１のブザー２２ａの作動を停止し又は警報制御装置２のアラーム３４又は外部通報手段３８の作動を停止して、衝撃センサ１７の検出信号を警報制御装置２に送信しないリセット状態、即ち非セット状態と、ロック装置１０の開放状態と閉鎖状態との間の切換及び衝撃センサ１７の検出信号を警報制御装置２に送信するセット状態との間で切り換えられる。
【００１７】
図５及び図６に示すように、警報制御装置２は、開閉部に対応して取り付けられた複数のセンサ装置１に対応して設けられたＬＥＤ等の発光素子３０と、手動セット／リセットボタン３２と、アラーム３４と、アンテナ３５とを有する。図７に示すように、警報制御装置２は、ＲＦモジュールとしてアンテナ３５を備えた警報側送受信駆動回路３６と、警報側送受信駆動回路３６に接続された警報側送受信制御回路３７とを備えている。警報側送受信制御回路３７は、発光素子３０と、手動セット／リセットボタン３２と、アラーム３４と、電話回線等の外部通報手段３８とに接続される。手動セット／リセットボタン３２をオンすると、警報制御装置２は、セット状態となり、警報制御装置２からセット信号がセンサ装置１に送出されて、センサ装置１がセット状態になり、手動セット／リセットボタン３２を再度オンすると、警報制御装置２からリセット信号がセンサ装置１に送出されて、センサ装置１がリセット状態となる。
【００１８】
センサ装置１と警報制御装置２との間では、定期交信と瞬時交信との２つの交信がある。定期交信では、定期的に警報制御装置２の警報側交信タイマ手段からの無線信号によってセンサ装置１から定期的（例えば１０分毎）に警報制御装置２に情報が送信される。瞬時交信では、センサ装置１のクレセント錠１０の施錠又は解錠及び衝撃センサ１７の作動状態が瞬時に警報制御装置２に送信される。
【００１９】
定期交信では、まず警報制御装置２からセンサ装置１に無線信号を送出する。警報制御装置２からの無線信号は、各センサ装置１のセンサ側交信タイマ手段を例えば１０分にセットするセット指令信号、警戒モードのセット又はリセットを切り替えるモード切換指令信号を含む。次に、センサ装置１は、警報制御装置２からの無線信号を受信したときに、セット信号を受信したか又はリセット信号を受信したかを判断し、センサ装置１は、セット信号を受信したときに、自己をセット状態に切り替え、リセット信号を受信したときに、自己をリセット状態に切り替える。続いて、センサ装置１は、寿命検出回路２９の出力によって電池１６の寿命を検知し、センサ側送受信制御回路２８及びセンサ側送受信駆動回路１９を通じて警報制御装置２に電池寿命を送信すると同時に、センサ装置１は、センサ側交信タイマ手段を例えば１０分にセットする。センサ装置１の送信に同期して、警報制御装置２は、センサ装置１の電池１６の寿命情報の無線信号を受信する。その後、１０分経過した時点で、センサ装置１は、そのセンサ側交信タイマ手段によって自動的に受信状態に切り換えられ、警報制御装置２から無線信号を受信して、前記と同様に、セット信号を受信したか又はリセット信号を受信したかを判断し、センサ装置１は、セット信号を受信したときに、自己をセット状態に切り替え、リセット信号を受信したときに、自己をリセット状態に切り替える。また、センサ装置１は、寿命検出回路２９の出力によって電池１６の寿命を検知し、センサ側送受信制御回路２８及びセンサ側送受信駆動回路１９を通じて、警報制御装置２に電池寿命を送信すると同時に、センサ装置１は、センサ側交信タイマ手段を再び１０分にセットする。センサ装置１の送信に同期して、警報制御装置２は、センサ装置１の電池１６の寿命情報の無線信号を受信する。センサ装置１と警報制御装置２とは、前記の交信を１０分毎に反復する。警報制御装置２は、複数のセンサ装置１に対して交信を行う場合、３０個のセンサ装置１に対して、例えば２０秒間隔で順次交信を行うが、各センサ装置１は、１０分毎に警報制御装置２と交信を行う。このように、１０分間隔で交信を行うため、各センサ装置１の電力消費量を低減すると同時に、警報制御装置２では１０分毎に各センサ装置１からの情報を受信することができる。
【００２０】
上記の構成において、図８〜図１０に示す動作シーケンスに従ってセンサ装置１が作動される。
【００２１】
ステップ４０から４１に進み、センサ装置１のセンサ側送受信制御回路２８は、定期交信か否か判断する。定期交信の場合、ステップ４２に進み、定期交信でないとき、ステップ４９に進む。ステップ４１で定期交信と判断したときに、ステップ４２において、警報制御装置２の手動セット／リセットボタン３２がオンとなり、セット信号を受信したか否か判断する。ステップ４２において、セット信号を受信すると、ステップ４５において、セット状態となり、ステップ４７において、センサ側送受信制御回路２８からソレノイド２４に駆動信号が付与される。このため、プランジャ２５がレバー部１４の係止部１４ａに嵌合され、ステップ４６に進む。ステップ４２において、セット信号を受信しないと、ステップ４３に進み、リセット信号を受信したか否か判断する。ステップ４３において、リセット信号を受信したとき、ステップ４４において、リセット状態となった後、ステップ４６において、センサ側送受信制御回路２８は、ソレノイド２４を逆方向に作動し、プランジャ２５の係止部１４ａとの嵌合を解除して、ステップ４８に進む。ステップ４３において、リセット信号を受信しないと、ステップ４８に進む。ステップ４８では、寿命検出回路２９の出力によって電池１６の寿命を検知し、ステップ４９において、センサ側送受信制御回路２８は、センサ側送受信駆動回路１９を通じて警報制御装置２に電池寿命を送信する。続いて、ステップ５０において、センサ側送受信制御回路２８は、センサ側交信タイマ手段によって例えば１０分タイマを作動させる。即ち、各センサ装置１は、セット状態及びリセット状態にかかわらず、センサ側交信タイマ手段により警報制御装置２と１０分毎に定期交信を行う。ステップ５１において、開放センサ素子としてのリードスイッチ１８がオンからオフに切り換えられ、クレセント錠１０が閉鎖状態、即ち施錠状態から開放状態、即ち解錠状態に切り換えられたか否か判断する。
【００２２】
ステップ５１において、クレセント錠１０が閉鎖状態から開放状態に切り換えられる（リードスイッチ１８オフ）と、図９のステップ５２に進む。センサ装置１のコード信号は、設定スイッチ２３により予め決められるため、ステップ５２では、センサ側送受信制御回路２８は、設定スイッチ２３からコード信号を読み取り、センサ側送受信制御回路２８は、コード信号を含む無線信号をセンサ側送受信駆動回路１９及びアンテナ２０を通じて警報制御装置２に送信する（ステップ５３）。次に、センサ側送受信制御回路２８は、ステップ５４において、時差タイマ手段を作動し、ステップ５５において、警報制御装置２に２回目の送信を行う。センサ側送受信制御回路２８は、コード信号を送信した後、時差タイマ手段によって計数される固有時間を経過したときに、他のセンサ装置１から送信されるコード信号に対して時差をもって異なるタイミングで、再度警報制御装置２にコード信号を送信する。その後、ステップ５６において、センサ装置１がセット状態か否か判断し、セット状態でないとき、ステップ５７において、発光ダイオード２２ｂの間欠表示を停止し、ステップ５１に戻る。ステップ４５において、セット状態に切り換えられ、ステップ５６において、セット状態のとき、ステップ５８において、ブザー２２ｃを作動した後、受信状態に切り換え（ステップ５９）、ステップ６０において、センサ装置１がリセット信号を受信したか否か判断する。ステップ６０において、リセット信号を受信すると、ステップ６２に進み、ソレノイド２４が解錠される。ステップ６０において、リセット信号を受信しないと、ステップ６１において、ステップ５４で作動したブザー２２ｃを作動したブザータイマが所定時間経過したか否か判断する。ステップ６１において、ブザー２２ｃの作動後、所定時間経過しないと、ステップ５８に戻り、所定時間経過すると、ステップ６２に進み、ソレノイド２４を作動させて解錠し、ステップ６３において、ブザー２２ｃの作動を停止した後、ステップ５１に戻る。
【００２３】
ステップ５１において、クレセント錠１０が閉鎖状態、即ち施錠状態から開放状態、即ち解錠状態に切り換えられないと、ステップ６４（図１０）に進み、クレセント錠１０が開放状態から閉鎖状態（リードスイッチ１８オン）に切り換えられたか否か判断する。ステップ６４において、クレセント錠１０が開放状態、即ち解錠状態から閉鎖状態、即ち施錠状態に切り換えられないと、ステップ６５において、衝撃センサ１７がオンとなったか否か判断する。ステップ６５において、衝撃センサ１７がオンになると、ステップ６６において、セット状態か否か判断し、セット状態のとき、センサ側送受信制御回路２８は、設定スイッチ２３からコード信号を読み取り（ステップ６７）、センサ側送受信制御回路２８は、コード信号を含む無線信号をセンサ側送受信駆動回路１９及びアンテナ２０を通じて警報制御装置２に送信する（ステップ６８）。
【００２４】
次に、ステップ６９において、センサ側送受信制御回路２８内の時差タイマ手段が作動され、ステップ７０において、警報制御装置２に固有の時差をもって２回目の送信を行う。その後、ステップ７１において、ブザー２２ｃを作動した後、受信状態に切り換え（ステップ７２）、ステップ７３において、リセット信号を受信したか否か判断する。ステップ７３において、リセット信号を受信すると、ステップ７５に進み、リセット信号を受信しないと、ステップ７４において、ブザー２２ｃの作動後、ブザータイマが所定時間経過したか否か判断する。ステップ７４において、ブザータイマが所定時間経過しないと、ステップ７１に戻り、所定時間経過すると、ステップ７５に進み、ブザー２２ｃの作動を停止した後、ステップ７６において、ソレノイド２４を解錠し、ステップ７７において、発光ダイオード２２ｂの間欠動作を行って、ステップ５１に戻る。ステップ６５において、衝撃センサ１７がオンとならないとき又はステップ６６においてセット状態でないとき、ステップ５１に戻る。
【００２５】
ステップ６４において、クレセント錠１０が開放状態から閉鎖状態になったとき、ステップ７８に進み、センサ側送受信制御回路２８は、設定スイッチ２３からコード信号を読み取り、センサ側送受信制御回路２８は、コード信号を含む無線信号をセンサ側送受信駆動回路１９及びアンテナ２０を通じて警報制御装置２に送信する（ステップ７９）。次に、ステップ８０において、時差タイマ手段を作動し、ステップ８１において、警報制御装置２に２回目の送信を行う。続いて、ステップ８２において、セット状態か否か判断し、セット状態のとき、ステップ５１に戻り、セット状態でないとき、ステップ８３において、発光ダイオード２２ｂの間欠動作を停止した後、ステップ５１に戻る。
【００２６】
次に、警報制御装置２の警報側送受信制御回路３７の動作を図１１及び図１２に示す動作シーケンスについて説明する。
【００２７】
図１１において、ステップ９０から９１に進み、センサ装置１のセンサ側送受信制御回路２８は、手動セット／リセットボタン３２が押圧され、セット状態に切り換えられたか否か判断する。手動セット／リセットボタン３２をオンすると、警報制御装置２は、セット状態になり、警報制御装置２からセット信号がセンサ装置１に送出されて、センサ装置１は、セット状態になる。手動セット／リセットボタン３２を再度オンすると、警報制御装置２がリセット状態となり、警報制御装置２からリセット信号がセンサ装置１に送出されて、センサ装置１がリセット状態となる。セット状態のときに、ステップ９２に進み、全クレセント錠１０が閉鎖されているか否か判断する。全クレセント錠１０が閉鎖されていると、ステップ９３において、発光素子３０を点灯してセット表示を行い、ステップ９４において、セット状態となる。ステップ９２において、全クレセント錠１０が閉鎖状態でないとき、ステップ９１に戻る。次に、ステップ９５において、３０個全てのセンサ装置１との交信が終了したか否か判断し、３０個全てのセンサ装置１との交信が終了すると、ステップ９９に進み、交信したセンサ装置１の数が３０に満たないとき、ステップ９６に進み、次のセンサ装置１にセット信号を送信する。
【００２８】
ステップ９６では、３０個のセンサ装置１のうち、Ｎ番目のセンサ装置１に送信しステップ９７において、情報を受信するか否か判断する。ステップ９７において、情報を受信しないと、ステップ９６に戻り、情報を受信すると、ステップ９８において、センサ装置１がＮ＋１で次のセンサ装置１との交信を行い、ステップ１０１に進む。ステップ９５において、３０個全てのセンサ装置１との交信が終了してステップ９９に進むと、各センサ装置１への定期交信のタイミングとセット信号を送信する。次に、ステップ１００において、各センサ装置１から電池寿命の情報を受信するか否か判断し、電池寿命の情報を受信すると、ステップ１０１に進み、電池寿命の情報を受信しないと、ステップ１００において受信するまで、受信動作を反復する。ステップ１０１では、衝撃センサ１７の信号を受信したか又はクレセント錠１０が開放されたか否か判断する。衝撃センサ１７の信号を受信せずかつクレセント錠１０が解放されないと、ステップ１０１からステップ９１に戻り、このように、３０個全てのセンサ装置１との交信が完了するまで、ステップ９１〜９８及び１０１を含むプロセスを反復する。３０個全てのセンサ装置１との交信が完了すると、ステップ９６〜９８のプロセスを行わず、ステップ９１〜９５及び９９〜１０１の動作を反復する。
【００２９】
その後、ステップ１０１において、衝撃センサ１７の信号を受信するか又はクレセント錠１０が開放された信号を受信すると、ステップ１０２において、警報側送受信制御回路３７はアラーム３４を作動する。ステップ１０２において、アラーム３４を作動した後、ステップ１０３において、外部通報手段３８を作動する。その後、ステップ１０４において、警報側送受信制御回路３７は、手動セット／リセットボタン３２が操作されたか否か判断し、手動セット／リセットボタン３２が操作されると、ステップ１０７でセンサ装置１にリセット信号を送信して、ステップ１０６に進み、アラーム３４の作動及び外部通報手段３８の作動を停止した後、ステップ９１に戻る。ステップ１０４において、手動セット／リセットボタン３２が操作されないと、ステップ１０５において、所定時間経過したか否か判断し、所定時間経過するとステップ１０６に進み、所定時間経過しないとステップ１０４に戻る。
【００３０】
ステップ９１において、セット状態でないと、ステップ１０８に進み、クレセント錠１０が開放状態から閉鎖状態に切り換えられたか否か判断し、閉鎖されていると、ステップ１１４において、クレセント錠１０の閉鎖を表示した後、ステップ９１に戻る。ステップ１０８において、クレセント錠１０が閉鎖されないと、ステップ１０９に進み、クレセント錠１０が開放されたか否か判断する。ステップ１０９において、クレセント錠１０が開放されると、ステップ１１５において、クレセント錠１０の開放を表示した後、ステップ９１に進む。ステップ１０９において、クレセント錠１０が閉鎖から解放に操作されないと、ステップ１１０に進み、リセット状態か否か判断し、リセット状態のとき、ステップ１１１に進み、リセット状態でないとき、ステップ９１に戻る。ステップ１１１では、発光素子３０によってリセット状態を表示した後、ステップ１１２において、センサ装置１への定期交信のタイミングとセット信号を送信する。続いて、ステップ１１３において、各センサ装置１から電池寿命の情報を受信して、ステップ９１に戻る。
【００３１】
ロック操作検知装置の作動の際に、前記のように、手動セット／リセットボタン３２をオンすると、警報制御装置２は、セット状態になり、警報制御装置２からセット信号が送出されて、センサ装置１がセット状態になり、手動セット／リセットボタン３２を再度オンすると、警報制御装置２は、リセット状態となり、警報制御装置２からリセット信号が送出されて、センサ装置１がリセット状態となる。最初に手動セット／リセットボタン３２をオンすると、警報制御装置２はセット状態になり、ステップ９２において、全てのクレセント錠１０が閉鎖状態か否か判断する。センサ装置１のリードスイッチ１８がオンになると、ステップ９３において、発光素子３０がオンとなり、センサ装置１のセット状態が表示される。従って、操作者は、発光素子３０の点灯により全てのクレセント錠１０が閉鎖状態であることを認識することができる。
【００３２】
警報制御装置２と各センサ装置１との交信を行い、３０個のセンサ装置１の各々に対して時間差をもって交信の設定が行われる。即ち、１つのセンサ装置１の定期交信のときに、そのセットスイッチ２７をオンすると、図８のステップ４１から４２に進み、警報制御装置２の警報側交信タイマ手段は、図１２に示すセット信号１３０を送信し、センサ装置１のセンサ側送受信制御回路２８は、警報制御装置２からセット信号を受信したか否か判断する。図１２に示すように、警報制御装置２は２０秒間隔でセット信号を発生する（ステップ９６）。図１２に示すように、センサ装置１が警報制御装置２からのセット信号１３０を受信すると、ステップ４５において、センサ装置１がセット状態となり、電池寿命を読み取り（ステップ４８）、図１２の信号１３１で示すように、警報制御装置２に送信を行って電池寿命（ステップ４８）を知らせた後、１０分タイマをスタートさせる（ステップ５０）。ステップ４９において、センサ装置１が警報制御装置２に電池寿命の情報の送信を行うと、警報制御装置２は、ステップ９７において、最初のセンサ装置１（即ちＮ番目）から電池寿命の情報を受信したか否か判断する。センサ装置１から電池寿命の情報を受信すると、警報制御装置２は、ステップ９８に進むが、電波が届かず電池寿命の情報を受信しないと、ステップ９６と９７とを反復する。ステップ９８では、警報制御装置２は、次のセンサ装置１との交信を行うため、Ｎ＋１の演算を行う。ここで、全てのセンサ装置１との交信が完了する前に、各センサ装置１の衝撃センサ１７が振動を検出してオンとなり又はリードスイッチ１８がオフに切り換えられる場合がある。このため、警報制御装置２は、ステップ１０１においていずれかのセンサ装置１が警報状態か否か判断し、いずれかのセンサ装置１が警報状態のとき、ステップ１０２に進み、アラーム３４を作動すると共に、ステップ１０３において外部通報手段３８を作動する。その後、ステップ１０４において、警報側送受信制御回路３７は、手動セット／リセットボタン３２が操作されたか否か判断し、手動セット／リセットボタン３２が操作されると、ステップ１０７で、センサ装置１にリセット信号を送信してステップ１０６に進み、アラーム３４の作動及び外部通報手段３８の作動を停止した後、ステップ９１に戻る。ステップ１０４において、手動セット／リセットボタン３２が操作されないと、ステップ１０５において、所定時間経過したか否か判断し、所定時間経過すると、ステップ１０６に進み、所定時間経過しないと、ステップ１０４に戻る。これに対応して、各センサ装置１は、ステップ４０〜５０、５１、６４及び６５を反復する。各センサ装置１は、セット状態及びリセット状態にかかわらず警報制御装置２と１０分毎に定期交信を行う。
【００３３】
衝撃センサ１７がオンとなり又はリードスイッチ１８がオフになると、センサ装置１は、設定スイッチ２３からコード信号を読み取り、ステップ６８又は７０において、警報制御装置２に検知信号を送信する。このため、警報制御装置２は、ステップ１０１において、センサ装置１からの検知信号を受信する。その後、ステップ１０２、１０３において、アラーム３４を作動し、外部通報手段３８を作動した後、アラーム用手動停止ボタン３１が作動されたか否か判断する。アラーム用手動停止ボタン３１が作動されると、ステップ１０７において、センサ装置１にリセット信号を送信し、ステップ１０６において、アラーム３４を停止すると共に、外部通報手段３８の作動を停止する。ステップ１０４にて、手動セット／リセットボタン３２が作動されないと、アラーム３４が作動した後、ステップ１０５において、一定時間経過したか否か判断する。アラーム３４の作動後一定時間経過すると、ステップ１０６に進み、一定時間経過しないと、ステップ１０４に戻る。不正進入者によってセンサ装置１が作動されると、衝撃センサ１７又は、リードスイッチ１８が作動され、ステップ１０１〜１０６が作動される。
【００３４】
ステップ９１において、リセット状態のとき、ステップ１０８に進み、クレセント錠１０が開放状態から閉鎖状態に切り換えられたか否か判断し、閉鎖状態に切り換えられると、クレセント錠１０の閉鎖を表示する（ステップ１１４）。ステップ１０８において、クレセント錠１０が開放状態から閉鎖状態に切り換えられないと、ステップ１０９に進み、クレセント錠１０が閉鎖状態から開放状態に切り換えられたか否か判断する。ステップ１０９において、クレセント錠１０が閉鎖状態から開放状態に切り換えられると、ステップ１１５でクレセント錠１０の開放を表示し、開放状態に切り換えられないと、ステップ１１０において、リセット状態か否か判断する。ステップ１０４において、警報制御装置２の手動セット／リセットボタン３２を押圧すると、センサ装置１は、リセット状態に切り換えられる。ステップ１１０において、リセット状態のとき、ステップ１１１において、リセット状態を表示し、ステップ１１２において、センサ装置１への定期交信のタイミングとセット信号を送信し、ステップ１１３において、各センサ装置１から電池寿命の情報を受信して、ステップ９１に戻る。リセット状態の警報制御装置２に変化がないとき、ステップ９１、１０８〜１１０の操作を循環する。
【００３５】
衝撃を発生させずにクレセント錠１０を開放すると、ステップ１０９において、クレセント錠１０が閉鎖状態から開放状態になるため、ステップ５２〜５５の動作を行って警報制御装置２に連絡（ステップ９７）した後、ステップ５６に進む。ステップ５３と５５で２回警報制御装置２に連絡するのは、センサ装置１の独自の時差タイマ手段によって設定される時間間隔で時差を与えて確実に警報制御装置２に連絡するためである。ステップ５６において、セット状態のときは、ステップ５８〜６３の動作を行った後、ステップ５１に戻る。ステップ５６において、セット状態でないと、ステップ５７において、発光ダイオードの間欠動作を停止した後ステップ５１に戻る。
【００３６】
衝撃センサ１７に衝撃が加えられたとき、ステップ６５から６６に進み、リセット状態のとき、ステップ４１に戻る。ステップ６６において、セット状態のときステップ６７から７０の操作を行い、ステップ７１において、ブザー２２ｃを作動した後、警報制御装置２からの信号を受信できる受信状態に切り換えられる（ステップ７２）。これは、警報制御装置２の手動セット／リセットボタン３２が押圧されたときに、センサ装置１が警報制御装置２からのリセット信号を受信してブザー２２ｃの作動を停止すると共に、発光ダイオード２２ｂの間欠動作を行わせるためである。ステップ６６において、リセット状態のときは警報制御装置２に送信しないため、電池の電力消費を低減することができる。
【００３７】
ステップ６４において、クレセント錠１０を開放状態から閉鎖状態に切り換えたとき、ステップ６７から７８に進み、警報制御装置２との交信を行う。ステップ８２において、セット状態のとき、ステップ４１に戻り、リセット状態のとき、ステップ８３において、発光ダイオード２２ｂの間欠動作を停止した後、ステップ４１に戻る。このように、クレセント錠１０が閉鎖状態から開放状態に切り換えられると、ステップ５２〜５６の作動を行うが、クレセント錠１０が開放状態から閉鎖状態に切り換えられると、ステップ７８〜８２の動作を行うと共にステップ１１４又は１１５でクレセント錠１０の閉鎖状態又は開放状態を表示する。
【００３８】
従って、発光素子３０は、セット状態及びリセット状態にかかわらず作動するため、クレセント錠１０の状態を常に監視することができる。また、警報制御装置２がステップ９１から１０１に達する前にセンサ装置１から検出信号が送出されると、ステップ１０１において、センサ装置１の動作を検出してステップ１０２において、アラーム３４が作動され、全てのセンサ装置１と警報制御装置２との初期交信が終了する前に警報を発生することができる。
【００３９】
このように、定期交信とは別にセンサ装置の状態は、警報制御装置２に送信される。本実施形態では、センサ装置１の作動の際に、センサ装置１のセンサ側送受信制御回路２８は、開放センサ素子１８又は衝撃センサ１７からの検出信号を受信したときに、センサ側送受信駆動回路１９を通じて警報制御装置２コード信号と共に、検出信号を送信し、警報制御装置２の警報側送受信制御回路３７は、センサ装置１からの検出信号を受信したときに、警報信号を発生するので、警報制御装置２によってセンサ装置１の集中管理を行うことができる。また、定期交信により、各センサ側送受信制御回路２８は、センサ側交信タイマ手段によって、一定時間経過時に警報制御装置２に対して受信状態となるため、通常の監視状態では、センサ装置１での消費電流は、極めて小さい。また、センサ装置１の電池１６の残部容量が低下した場合に、定期交信の際に、センサ装置１から警報制御装置２に送信された無線信号により警報制御装置２での集中管理により電池１６の残部容量の低下を確認することができる。また、警報制御装置２の手動セット／リセットボタン３２の操作によって、警報制御装置２からの遠隔操作により複数のセンサ装置１を同一周波数の無線信号により時差をもって順次セット状態に切り換えることができる。各センサ装置１は、警報制御装置２に対してコード信号を送信するので、警報制御装置２を管理すればどのセンサ装置１に状態変化が発生したかを迅速に認識することができる。
【００４０】
センサ側送受信制御回路２８は、開放センサ素子１８又は衝撃センサ１７からの検出信号を受信したときに、センサ側送受信駆動回路１９を通じて警報制御装置２にコード信号と共に検出信号を送信し、その後、時差タイマ手段によって計数される固有時間を経過したときに、他のセンサ装置１から送信されるコード信号に対して時差をもって異なるタイミングで、再度警報制御装置２にコード信号と共に検出信号を送信するので、複数のセンサ装置１が警報制御装置２に対して同時に交信を開始しても時差タイマ手段によって固有時間経過後に送信を行うため、警報制御装置２に対して確実に送信を終了することができる。
【００４１】
【発明の効果】
この発明によるロック操作検知装置では、セット状態のときに、ソレノイドのプランジャがレバー部の係止部に係合されるので、クレセント錠の不正解錠を阻止し、盗難を防止することができる。また、センサ装置の電池の電力消費を低減しかつ警報制御装置とセンサ装置との間で情報伝達のため遠隔操作で定期的にかつ自動的に交信を行うことができる。センサ装置の消費電流が小さいため、長期間電池を交換せずにセンサ装置を駆動できる。更に、センサ装置の電池の残部容量が低下したときに警報制御装置において確認することができる。同一周波数の無線信号により順次時差をもって確実に複数のセンサ装置をセット状態に切り換えることができる。同一の周波数を使用して複数のロック装置を単一の警報制御装置により管理できるので、構造が簡素化されロック操作検知装置を安価に製造することができる。警報制御装置の表示によりセンサ装置の開放状態又は閉鎖状態を目視により容易に確認することができる。各センサ装置に設けられた開放センサ素子及び衝撃センサにより不正侵入を直ちに検出して、警報信号を発生することができる。
【図面の簡単な説明】
【図１】  この発明によるロック操作検知装置の全体を示すブロック図
【図２】  この発明によるロック操作検知装置を設置した住宅の概略図
【図３】  この発明のロック操作検知装置に使用するセンサ装置の斜視図
【図４】  センサ装置のブロック回路図
【図５】  この発明のロック操作検知装置に使用する警報制御装置の正面図
【図６】  警報制御装置の側面図
【図７】  警報制御装置のブロック回路図
【図８】  センサ装置の動作シーケンスを示すフローチャート
【図９】  図８に続くセンサ装置の動作シーケンスを示すフローチャート
【図１０】  図９に続くセンサ装置の動作シーケンスを示すフローチャート
【図１１】  警報制御装置の動作シーケンスを示すフローチャート
【図１２】  警報制御装置とセンサ装置とが定期的に交信を行うパルスのタイミングチャート
【符号の説明】
１・・センサ装置、  ２・・警報制御装置、  １０・・クレセント錠、  １１・・ロック通信装置、  １４・・レバー部、  １５・・磁石、  １６・・電池、  １７・・衝撃センサ、  １８・・リードスイッチ、  １９・・センサ側送受信駆動回路、  ２０・・アンテナ、  ２２・・プリント基板、  ２３・・設定スイッチ、  ２４・・ソレノイド、  ２５・・プランジャ、  ２８・・センサ側送受信制御回路、  ２９・・寿命検出回路（容量検出手段）、  ３０・・発光素子、  ３２・・手動セット／リセットボタン、  ３４・・アラーム、  ３５・・アンテナ、  ３６・・警報側送受信駆動回路、  ３７・・警報側送受信制御回路、  ３８・・外部通報手段、
【図１】
0003836903.tif 000002
【図２】
0003836903.tif 000003
【図３】
0003836903.tif 000004
【図４】
0003836903.tif 000005
【図５】
0003836903.tif 000006
【図６】
0003836903.tif 000007
【図７】
0003836903.tif 000008
【図８】
0003836903.tif 000009
【図９】
0003836903.tif 000010
【図１０】
0003836903.tif 000011
【図１１】
0003836903.tif 000012
【図１２】
0003836903.tif 000013